(57)【要約】【課題】モバイル機器に保存された音源を再生するための音源再生モジュールを備えるモバイル機器用ケースを提供する。【解決手段】モバイル機器用ケースに、内部にモバイル機器を収容するための空間部１２０を有し、少なくとも一部に係合面が形成されるケース１００と、モバイル機器と通信可能に接続されて、モバイル機器に保存された音源を再生するための音源再生モジュール２００とを設ける。この音源再生モジュール２００を係合面に着脱自在に係合する。【選択図】図１
0003211886.tif 000002
【実用新案登録請求の範囲】
【請求項１】
内部にモバイル機器を収容するための空間部を有し、少なくとも一部に係合面が形成されるケースと、
前記モバイル機器と通信可能に接続されて、前記モバイル機器に保存された音源を再生するための音源再生モジュールと、
を備え、
前記音源再生モジュールは、前記係合面に着脱自在に係合する
モバイル機器用ケース。
【請求項２】
前記音源再生モジュールは、
前記モバイル機器に保存された音源を入力されるための入力端子部と、
前記入力端子部から入力された音源のデジタル信号をパルス符号変調信号に変換するためのコントローラー部と、
前記パルス符号変調信号をアナログ信号に変換するためのデジタルアナログ変換部と、
前記アナログ信号を外部に出力するための出力端子部と、
を備える
請求項１に記載のモバイル機器用ケース。
【請求項３】
前記音源再生モジュールは、
前記コントローラー部及びデジタルアナログ変換部に電源を供給するための電源供給部を更に備え、
前記電源供給部は、前記モバイル機器に選択的に電源を供給する
請求項２に記載のモバイル機器用ケース。
【請求項４】
前記電源供給部は、前記モバイル機器に無線方式で電源を供給する
請求項３に記載のモバイル機器用ケース。
【請求項５】
前記係合面は、前記ケースの外面から凹んで形成される
請求項１に記載のモバイル機器用ケース。
【請求項６】
前記音源再生モジュールを前記ケースに固定するための固定体を更に備える
請求項１又は請求項５に記載のモバイル機器用ケース。
【請求項７】
前記係合面には少なくとも一つの係合孔が貫通形成され、
前記固定体は、前記ケースの内部から前記係合孔を介して螺合される
請求項６に記載のモバイル機器用ケース。
【請求項８】
前記係合孔は、前記ケースの内部から減少する直径を有するように段付き状に形成され、
前記固定体は、端部が前記係合孔の内部に位置するように係合する
請求項７に記載のモバイル機器用ケース。
【請求項９】
前記係合面には少なくとも一つの係止溝が形成され、
前記音源再生モジュールには前記係止溝に嵌合する少なくとも一つの係止突起が形成される
請求項１又は請求項５に記載のモバイル機器用ケース。
【請求項１０】
前記モバイル機器の充電端子部と前記入力端子部とを電気的に接続する接続部材を更に備える
請求項２に記載のモバイル機器用ケース。
【請求項１１】
前記接続部材は、両端部が前記入力端子部及び充電端子部に嵌着されるように折り曲げられて形成される
請求項１０に記載のモバイル機器用ケース。
【請求項１２】
前記接続部材は、硬質の材質により形成される
請求項１０に記載のモバイル機器用ケース。
【請求項１３】
前記音源再生モジュールは、前記入力端子部が前記充電端子部に対応する方向に配列されるように前記ケースに係合し、
前記接続部材は、前記入力端子部及び充電端子部に向かってそれぞれ延びる延長部及び前記延長部同士を互いに連結する連結部を有するＵ字状に形成される
請求項１１に記載のモバイル機器用ケース。
【請求項１４】
前記連結部は、伸縮自在に形成される
請求項１３に記載のモバイル機器用ケース。
【請求項１５】
前記連結部は、互いに摺動して係合する第１の連結バー及び第２の連結バーを有する
請求項１４に記載のモバイル機器用ケース。
【請求項１６】
前記接続部材は、前記第１の連結バー及び第２の連結バーの間に引っ張り力を与える弾性部材を更に備える
請求項１５に記載のモバイル機器用ケース。
【考案の詳細な説明】
【技術分野】
【０００１】
本考案は、モバイル機器用ケースに係り、更に詳しくは、モバイル機器を内部に収容するモバイル機器用ケースに関する。
【０００２】
最近の情報通信分野の発達には目を見張るものがあり、これに伴い、情報及び通信環境が急変しつつある。このような情報及び通信環境の急変とあいまって、移動通信分野のモバイル機器は、現代社会において欠かせない必需品として愛用されている。このような移動通信分野のすそ野の拡大に伴い、様々なモバイル機器には更に様々な機能が付加され、現在、音声通話はもとより、メッセージの送受信、データの保存などをはじめとしてインターネットが利用可能になった。
【０００３】
一方、最近、情報の保存形式及び存在形式がアナログ（ａｎａｌｏｇ）からデジタル（ｄｉｇｉｔａｌ）へと取って代わりつつあり、特に、動画データの圧縮標準である動画専門家集団（ＭＰＥＧ：Ｍｏｖｉｎｇ ＰｉｃｔｕｒｅＥｘｐｅｒｔｓ Ｇｒｏｕｐ）技術の発達に伴い、デジタル画像データのサイズが次第に小さくなりつつある。これに伴い、モバイル機器に用いられるメモリにも多くのデータを保存することができ、画像データだけではなく、音声データもデジタル化が進んでいる。
【０００４】
ここで、アナログ音源信号をデジタル音源信号に変換し、前記ＭＰＥＧ圧縮技術をオーディオ圧縮に適用して小さいサイズのデジタルデータで音楽を聴取できるＭＰ３（ＭＰＥＧ Ａｕｄｉｏｌａｙｅｒ−３）形式の音源が注目を集めている。また、ＭＰ３形式の音源の普及が拡大することに伴い、ＭＰ３音源を移動中にも再生できるようにＭＰ３音源の保存手段及びＭＰ３音源の再生手段を有するＭＰ３プレーヤー又はこれを搭載したモバイル機器も広く普及することになった。なお、このようなＭＰ３形式に加えて、ＷＡＶ、ＦＬＡＣ、ＷＭＡなど様々な音源の保存フォーマットがユーザーの好みに応じて用いられている。
【０００５】
ＭＰ３音源などのデジタル音源は、データのサイズを減らすために低いビットレート及び低いサンプリング周波数値を有し、これにより、ＭＰ３音源などのデジタル音源は低下した音質を有する。このように低いビットレート及び低いサンプリング周波数値を有するＭＰ３デジタル音源に対して高品質の音源を聴取しようとするユーザーのニーズは次第に高まりつつある。この理由から、デジタル音源を高品質の音源に変換して再生するための別途の音源再生装置が盛んに開発されている。
【先行技術文献】
【特許文献】
【０００６】
【特許文献１】大韓民国登録特許第１０−０６９５３６８号公報
【考案の概要】
【考案が解決しようとする課題】
【０００７】
しかしながら、このようにデジタル音源を変換して再生するための音源再生装置は、モバイル機器と連結される別個の装置により構成されて、移動中に音楽を鑑賞することが主な用途となるモバイル機器の特性からみて、携帯性が顕著に低下する。なお、携帯性を向上させるためにモバイル機器と音源再生装置を一体に組み立てる場合、多種多様なモバイル機器にそれぞれ対応する音源再生装置を別途に製作することを余儀なくされ、互換性及び経済性が顕著に低下するという不具合があった。
【０００８】
本考案は、モバイル機器に保存された音源を再生するための音源再生モジュールを備えるモバイル機器用ケースを提供する。
【０００９】
また、本考案は、音源再生モジュールをモバイル機器の種類を問わずに着脱自在に係合させることのできるモバイル機器用ケースを提供する。
【課題を解決するための手段】
【００１０】
本考案の実施形態によるモバイル機器用ケースは、内部にモバイル機器を収容するための空間部を有し、少なくとも一部に係合面が形成されるケースと、前記モバイル機器と通信可能に接続されて、前記モバイル機器に保存された音源を再生するための音源再生モジュールと、を備え、前記音源再生モジュールは、前記係合面に着脱自在に係合する。
【００１１】
前記音源再生モジュールは、前記モバイル機器に保存された音源を入力されるための入力端子部と、前記入力端子部から入力された音源のデジタル信号をパルス符号変調（ＰＣＭ：Ｐｕｌｓｅ Ｃｏｄｅ Ｍｏｄｕｌａｉｏｎ）信号に変換するためのコントローラー部と、前記パルス符号変調信号をアナログ信号に変換するためのデジタルアナログ変換部と、前記アナログ信号を外部に出力するための出力端子部と、を備えていてもよい。
【００１２】
前記音源再生モジュールは、前記コントローラー部及びデジタルアナログ変換部に電源を供給するための電源供給部を更に備え、前記電源供給部は、前記モバイル機器に選択的に電源を供給してもよい。
【００１３】
前記電源供給部は、前記モバイル機器に無線方式で電源を供給してもよい。
【００１４】
前記係合面は、前記ケースの外面から凹んで形成されてもよい。
【００１５】
前記モバイル機器用ケースは、前記音源再生モジュールを前記ケースに固定するための固定体を更に備えていてもよい。
【００１６】
前記係合面には少なくとも一つの係合孔が貫通形成され、前記固定体は、前記ケースの内部から前記係合孔を介して螺合されてもよい。
【００１７】
前記係合孔は、前記ケースの内部から減少する直径を有するように段付き状に形成され、前記固定体は、端部が前記係合孔の内部に位置するように係合してもよい。
【００１８】
前記係合面には少なくとも一つの係止溝が形成され、前記音源再生モジュールには前記係止溝に嵌合する少なくとも一つの係止突起が形成されてもよい。
【００１９】
前記モバイル機器用ケースは、前記モバイル機器の充電端子部と前記入力端子部とを電気的に接続する接続部材を更に備えていてもよい。
【００２０】
前記接続部材は、両端部が前記入力端子部及び充電端子部に嵌着されるように折り曲げられて形成されてもよい。
【００２１】
前記接続部材は、硬質の材質により形成されてもよい。
【００２２】
前記音源再生モジュールは、前記入力端子部が前記充電端子部に対応する方向に配列されるように前記ケースに係合し、前記接続部材は、前記入力端子部及び充電端子部に向かってそれぞれ延びる延長部及び前記延長部同士を互いに連結する連結部を有する「Ｕ」字状に形成されてもよい。
【００２３】
前記連結部は、伸縮自在に形成されてもよい。
【００２４】
前記連結部は、互いに摺動して係合する第１の連結バー及び第２の連結バーを有していてもよい。
【００２５】
前記接続部材は、前記第１の連結バー及び第２の連結バーの間に引っ張り力を与える弾性部材を更に備えていてもよい。
【考案の効果】
【００２６】
本考案の実施形態によるモバイル機器用ケースによれば、モバイル機器に保存された音源のデジタル信号を高品質のアナログ信号に変換して出力することにより、再生される音源の音質を向上させることができる。
【００２７】
また、モバイル機器を収容するケースに音源のデジタル信号を変換する音源再生モジュールを係合させることによりモバイル機器用ケースを構成して携帯性を向上させることができ、有線方式又は無線方式でモバイル機器に選択的に電源を供給する電源供給部を音源再生モジュールに設けることにより、モバイル機器の補助バッテリとしても活用することができる。
【００２８】
加えて、音源再生モジュールは、モバイル機器に対してそれぞれ製造されるケースに着脱自在に係合して、モバイル機器を収容するケースを取り替えるだけでも多種多様なモバイル機器と互換可能になる。
【図面の簡単な説明】
【００２９】
【図１】本考案の実施形態によるモバイル機器用ケースの全体的な様子を示す斜視図である。
【図２】図１のモバイル機器用ケースを他の方向から眺めた斜視図である。
【図３】本考案の実施形態による音源再生モジュールの構成を概略的に示すブロック図である。
【図４】本考案の実施形態によるモバイル機器用ケースの分解された様子を示す分解斜視図である。
【図５】図４のモバイル機器用ケースを他の方向から示す分解斜視図である。
【図６】本考案の他の実施形態による接続部材の様子を示す正面図である。
【考案を実施するための形態】
【００３０】
本考案に係るモバイル機器用ケースは、モバイル機器に保存された音源を変換して高音質の音響を出力可能な技術的な特徴を提示する。なお、本考案に係るモバイル機器用ケースは、高音質の音響を再生するための音源再生装置の携帯性を確保し、多種多様なモバイル機器に互換して適用可能な技術的な特徴を提示する。
【００３１】
以下、添付図面に基づいて本考案の実施形態について詳細に説明する。しかしながら、本考案は以下に開示される実施形態に何ら限定されるものではなく、異なる様々な形態に具体化され、単にこれらの実施形態は本考案の開示を完全たるものにし、通常の知識を有する者に考案の範囲を完全に知らせるために提供されるものである。図中、同じ符号は同じ構成要素を示す。
【００３２】
図１は、本考案の実施形態によるモバイル機器用ケースの全体的な様子を示す斜視図であり、図２は、図１のモバイル機器用ケースを他の方向から眺めた斜視図である。更に詳しくは、図１は、本考案の実施形態によるモバイル機器用ケースを上部から眺めた斜視図であり、図２は、本考案の実施形態によるモバイル機器用ケースを下部から眺めた斜視図である。また、図３は、本考案の実施形態による音源再生モジュールの構成を概略的に示すブロック図である。
【００３３】
図１から図３を参照すると、本考案の実施形態によるモバイル機器用ケースは、内部にモバイル機器（図示せず）を収容するための空間部１２０を有し、少なくとも一部に係合面１４０が形成されるケース１００と、前記モバイル機器と通信可能に接続されて、前記モバイル機器に保存された音源を再生するための音源再生モジュール２００と、を備え、前記音源再生モジュール２００は、前記係合面１４０（図５に示す）に着脱自在に係合する。
【００３４】
ここで、モバイル機器は、スマートフォン、携帯用電話機器、タブレットＰＣ、個人情報端末（ＰＤＡ）、ウェブパッドなどのデジタル機器を網羅する包括的な意味として用いられる。
【００３５】
ケース１００は、内部にモバイル機器を収容するための空間部１２０を有し、前記空間部１２０にはモバイル機器が内面１００Ｂに密着されて着脱自在に係合する。ケース１００は、前面の少なくとも一部が開放されて形成されてもよく、ケース１００の外面１００Ａ（例えば、ケースの背面）の少なくとも一部には係合面１４０が形成される。ここで、係合面１４０とは、音源再生モジュール２００が係合する面のことをいい、ケース１００に接触される音源再生モジュール２００の一方の端面に対応する形状を呈してもよい。なお、ケース１００は、内部に係合するモバイル機器の充電端子部（図示せず）を露出させるように下端の少なくとも一部が開放されるように形成されてもよい。
【００３６】
ケース１００は、上面、下面及び両側面のうちの少なくとも一つの面がモバイル機器を取り囲むように形成されてもよく、内部にモバイル機器を収容するための空間部１２０を有し、外面１００Ａに係合面１４０が形成される限り、様々な形状のケースが使用可能であるということはいうまでもない。
【００３７】
音源再生モジュール２００は、ケース１００に係合するモバイル機器と通信可能に接続されて、モバイル機器に保存された音源を変換して再生する。音源再生モジュール２００及びモバイル機器は、有線方式又は無線方式により通信可能に接続されてもよく、接続部材４００により音源再生モジュール２００をモバイル機器に有線方式で接続するための実施形態が図示されているが、無線方式として近距離無線通信技術であるブルートゥース（登録商標）などが適用可能であるということはいうまでもない。
【００３８】
図３に示すように、音源再生モジュール２００は、モバイル機器に保存された音源を入力されるための入力端子部２２０と、前記入力端子部２２０から入力された音源のデジタル信号をパルス符号変調（ＰＣＭ）信号に変換するためのコントローラー部２３０と、前記パルス符号変調信号をアナログ信号に変換するためのデジタルアナログ変換部２４０と、前記アナログ信号を外部に出力するための出力端子部２５０と、を備えていてもよい。
【００３９】
入力端子部２２０には、モバイル機器に保存されたＷＡＶ、ＦＬＡＣ、ＷＭＡ、ＭＰ３などの形式を有するデジタル音源ファイルが入力される。入力端子部２２０は、モバイル機器と無線方式により接続される場合、音源再生モジュール２００に取り付けられるブルートゥースチップセットを備えていてもよく、モバイル機器と有線方式により接続される場合、モバイル機器の充電端子部との電気的な接続のための汎用直列バス（ＵＳＢ）ポート又はライトニングポートを備えていてもよい。
【００４０】
コントローラー部２３０は、入力端子部２２０から入力されたデジタル音源ファイルのデジタル信号をパルス符号信号に変換する。更に詳しくは、モバイル機器に保存されたＷＡＶ、ＦＬＡＣ、ＷＭＡ、ＭＰ３などの形式を有するデジタル音源ファイルのデジタル信号を３２ビット以上及び３８４ｋＨｚ以上のパルス符号変調信号に変換してもよい。
【００４１】
一般に、モバイル機器に保存されるデジタル音源ファイルは、１６ビットの４４.１ｋＨｚサンプリング周波数を有する。コントローラー部２３０は、このように低いビット及びサンプリング周波数を有するデジタル音源ファイルのデジタル信号を３２ビット以上及び３８４ｋＨｚ以上のパルス符号変調信号に変換することにより、音質を向上させることができる。音質を向上させるためのアップビット及びオーバーサンプリングに関しては多数の技術が公知であるが、これについての詳細な説明は省略する。
【００４２】
デジタルアナログ変換部（ＤＡＣ：ＤｉｇｉｔａｌＡｎａｌｏｇ Ｃｏｎｖｅｒｔｅｒ）２４０は、上述したように、コントローラー部２３０により変換されたパルス符号変調信号をアナログ信号に変換し、変換されたアナログ信号は、出力端子部２５０を介して外部に出力される。出力端子部２５０は、イヤフォン／ヘッドフォンポート２５４、外部アンプなどとの接続のためのラインポート２５２などを備えていてもよい。
【００４３】
また、音源再生モジュール２００は、デジタルアナログ変換部２４０により変換されたアナログ信号を設定された利得（ゲイン）値に増幅させるための増幅部（図示せず）を更に備えていてもよい。増幅部によりイヤフォン／ヘッドフォンポート２５４は高出力のアナログ信号を出力し、外部アンプなどと接続されるラインポート２５２は相対的に低い出力のアナログ信号を出力するように利得値を異ならせて設定してもよい。
【００４４】
更に、音源再生モジュール２００は、コントローラー部２３０及びデジタルアナログ変換部２４０に電源を供給するための電源供給部２６０を更に備え、前記電源供給部２６０は、前記モバイル機器に選択的に電源を供給してもよい。
【００４５】
電源供給部２６０は、音源再生モジュール２００を駆動するために、コントローラー部２３０と、デジタルアナログ変換部２４０及び増幅部など電源を必要とする各構成要素に電源を供給する。また、電源供給部２６０は、音源再生モジュール２００の駆動だけではなく、ケース１００に係合するモバイル機器に電源を供給してもよく、モバイル機器への電源の供給は選択的に行われてもよい。ここで、モバイル機器への選択的な電源の供給は、いうまでもなく、コントローラー部２３０の制御信号により行われてもよく、後述する充電スイッチにより電気的な接続有無を機械的に制御することにより行われてもよい。モバイル機器に供給される電源は、モバイル機器の駆動又は充電に利用可能であり、電源供給部２６０は、モバイル機器と音源再生モジュール２００とが有線方式により接続される場合、接続部材４００を介して電源を供給し、モバイル機器と音源再生モジュール２００とが無線方式により接続される場合、電磁気誘導などの無線方式で電源を供給してもよい。
【００４６】
加えて、電源供給部２６０は、充電式のリチウムイオンバッテリなどを備えていてもよく、音源再生モジュール２００に形成される別途の充電ポート２９０から電源が供給されて充電されてもよい。
【００４７】
以下、本考案の実施形態による音源再生モジュール２００の各スイッチの細部機能について詳細に説明する。
【００４８】
充電スイッチ２１２は、上述したように、電源供給部２６０による音源再生モジュール２００への電源の供給を選択する。すなわち、充電スイッチ２１２の入力に応じて、電源供給部２６０が音源再生モジュール２００のみを駆動するために電源を供給するか、或いは、音源再生モジュール２００だけではなく、モバイル機器にも電源を供給するかを選択する。充電スイッチ２１２によりコントローラー部２３０は制御信号を送出してモバイル機器に電源を選択的に供給することができる。
【００４９】
また、ユーザーが電源供給部２６０の電力量及び正常動作有無を確認するための発光ダイオード（ＬＥＤ）２１３（図４に示す）などの別途の表示手段を備えていてもよい。このような電力量及び正常動作有無の確認は、コントローラー部２３０の機能の拡張のための補助コントローラー部（図示せず）により制御可能である。なお、補助コントローラー部は、音源が再生されていない間に下記の再生スイッチ２１４に所定の時間の間にいかなる選択操作もない場合に自動的に音源再生モジュール２００への電源供給を遮断する機能を行ってもよいということはいうまでもない。
【００５０】
再生スイッチ２１４は、音源再生モジュール２００の再生機能、すなわち、音源の再生、一時停止、前の音源の再生及び次の音源の再生などを選択してもよい。また、ボリュームスイッチ２１５は、再生される音源のボリュームを調節してもよく、音場スイッチ２１６を更に備えて再生される音源の音場効果（ｓｏｕｎｄ ｅｆｆｅｃｔ）を切り換えてもよい。ここで、音場効果とは、ジャズ、クラシック、ポップなど音源の種類により設定された効果のことをいう。
【００５１】
電源スイッチ２１７は、音源再生モジュール２００のオン（ＯＮ）、オフ（ＯＦＦ）を選択する。なお、電源スイッチは、オン（ＯＮ）、オフ（ＯＦＦ）だけではなく、他のスイッチの誤作動を防ぐためのロック（ＬＯＣＫ）機能を更に有していてもよい。
【００５２】
モード選択スイッチ２１８（図５に示す）は、出力されるアナログ信号の利得値を異ならせて選択可能にする。すなわち、モード選択スイッチにより出力されるアナログ信号の利得値を異ならせて設定して、例えば、イヤフォン／ヘッドフォンポート２５４から出力されるアナログ信号が高出力又は低出力のアナログ信号に増幅されるように調節することにより、イヤフォン／ヘッドフォンポート２５４に接続されるイヤフォン又はヘッドフォンなどの種類を問わずにそれぞれ最適化した音質の音源を聴くことができる。
【００５３】
オペレーティングシステム選択スイッチ２１９（図４に示す）は、ケース１００に取り付けられるモバイル機器の種類に応じてモバイル機器のオペレーティングシステム（ＯＳ：Ｏｐｅｒａｔｉｎｇ Ｓｙｓｔｅｍ）を選択可能にする。例えば、オペレーティングシステム選択スイッチ２１９は、ＩＯＳ及びＡｎｄｒｏｉｄを選択可能なように構成してケース１００に取り付けられるモバイル機器のオペレーティングシステムに対して音源再生モジュール２００が互換性を有するように設定してもよい。ここで、オペレーティングシステム選択スイッチ２１９は、一応モバイル機器の種類に応じてオペレーティングシステムが選択されると、音源再生モジュール２００の駆動中にオペレーティングシステムが誤って変更されることを防ぐために係合面１４０と向かい合う音源再生モジュール２００の一面に設けられてもよい。
【００５４】
上述したような機能を有する音源再生モジュール２００は、ケース１００の係合面１４０に着脱自在に係合する。
【００５５】
以下、本考案の実施形態によるモバイル機器用ケースのケース１００と音源再生モジュール２００とが着脱自在に係合する様子を図４及び図５に基づいて詳細に説明する。
【００５６】
図４は、本考案の実施形態によるモバイル機器用ケースの分解された様子を示す分解斜視図であり、図５は、図４のモバイル機器用ケースを他の方向から示す分解斜視図である。すなわち、図４は、本考案の実施形態によるモバイル機器用ケースの分解された様子を上部から眺めた分解斜視図であり、図５は、本考案の実施形態によるモバイル機器用ケースの分解された様子を下部から眺めた分解斜視図である。
【００５７】
音源再生モジュール２００は、ケース１００の背面の少なくとも一部に形成される係合面１４０に一方の端面が接触されて係合する。なお、ケース１００に形成される係合面１４０は、前記ケース１００の外面から所定の深さだけ凹んで形成されて、音源再生モジュール２００の一方の端部が嵌着されてもよい。
【００５８】
また、本考案の実施形態によるモバイル機器用ケースは、音源再生モジュール２００を前記ケース１００に強固に固定するための固定体３００を更に備えていてもよい。ここで、固定体３００は、ケース１００又は音源再生モジュール２００にそれぞれ設けられる磁性体又は金属体であってもよいが、音源再生モジュール２００をケース１００に更に強固に固定するために、固定体３００はスクリューを備えていてもよい。このようにスクリューを用いて音源再生モジュール２００をケース１００に係合させる場合、固定体３００の螺合のためにケース１００に設けられる係合面１４０には少なくとも一つの係合孔１６０が貫通形成されてもよく、固定体３００は、ケース１００の内面から係合孔１６０を介して音源再生モジュール２００に螺合されてもよい。
【００５９】
音源再生モジュール２００を固定体３００により螺合する場合、ケース１００の内部に収容されて内面に接するモバイル機器が固定体３００と接触されることを防ぐために、係合孔１６０は、ケース１００の内部から減少する直径を有するように段付き状に形成されてもよい。このように係合孔１６０をケース１００の内部から減少する直径を有するように段付き状に形成する場合、固定体３００の端部は係合孔１６０の内部に位置するように音源再生モジュール２００に係合してモバイル機器との接触による傷付きなどの発生リスクを最小化することができる。
【００６０】
音源再生モジュール２００及びケース１００間の更に強固な係合のためにケース１００の係合面１４０には少なくとも一つの係止溝１８０が形成され、音源再生モジュール２００には前記係止溝１８０に嵌合する少なくとも一つの係止突起２８０が形成されてもよい。ここで、係止溝１８０は、ケース１００の係合面１４０から外方に向かって延設されてもよく、前記係止突起２８０は、係止溝１８０との嵌合のために折り曲げられて形成されてもよい。ケース１００の係合面１４０に係止溝１８０が形成される場合、前記係止溝１８０に嵌合する係止突起２８０がケース１００の内面から突出されてモバイル機器との干渉が起こることを防ぐために、係止溝１８０は、ケース１００の外面と内面との間に凹んで形成されてもよいということはいうまでもない。
【００６１】
本考案の実施形態によるモバイル機器用ケースは、モバイル機器の充電端子部と入力端子部２２０とを電気的に接続する接続部材４００を更に備えていてもよい。接続部材４００は、汎用直列バス（ＵＳＢ）端子又はライトニング端子が両端に形成される軟質のケーブルであってもよいが、モバイル機器が収容されるケース１００及び音源再生モジュール２００に更なる係合力を与えるために両端部がモバイル機器の充電端子部及び音源再生モジュール２００の入力端子部２２０にそれぞれ嵌着されるように折り曲げられて形成されてもよく、この場合、接続部材４００は、硬質の材質により形成されてもよい。更に詳しくは、接続部材４００のハウジングがプラスチック材質などにより形成されてもよく、接続部材４００の両端には汎用直列バス（ＵＳＢ）端子又はライトニング端子が形成され、前記ハウジングの内部には各端子を互いに電気的に接続するケーブルが配備されてもよいということはいうまでもない。
【００６２】
接続部材４００は、入力端子部２２０及び充電端子部に向かってそれぞれ延びる延長部４１０，４２０及び前記延長部４１０，４２０を互いに連結する連結部４３０を有する「Ｕ」字状に形成されてもよい。このように「Ｕ」字状に接続部材４００を形成する場合、音源再生モジュール２００の入力端子部２２０は、モバイル機器の充電端子部に対応する方向、すなわち、「Ｕ」字状の接続部材４００の両側の延長部４１０，４２０が入力端子部２２０及び充電端子部にそれぞれ嵌入する方向に配列されてもよい。図中、ケース１００の下端の中央部の開口された領域が、モバイル機器が係合する場合に充電ポートなどの充電端子部が位置する領域であり、音源再生モジュール２００の下端の中央部（イヤフォン／ヘッドフォンポート２５４及びラインポートの間）２５２が、入力ポートなどの入力端子部２２０が位置する領域である。
【００６３】
また、接続部材４００の連結部４３０は、伸縮自在に形成されてもよい。係合面１４０から音源再生モジュール２００の入力端子部２２０までの距離は固定されているのに対し、係合面１４０からモバイル機器の充電端子部までの距離はモバイル機器の厚さ又はケース１００の厚さに応じて可変となる。このため、多種多様なモバイル機器又はケース１００に互換して適用可能なように、接続部材４００の連結部４３０は、伸縮自在に形成されてもよい。
【００６４】
接続部材４００の連結部４３０を伸縮自在に形成するためには、硬質の材質により形成される延長部４１０，４２０に対して連結部４３０が軟質の材質により形成されてもよいが、図６に示すように、連結部４３０が互いに摺動して係合する第１の連結バー４３２及び第２の連結バー４３４を有するように形成されてもよい。すなわち、連結部４３０を構成する第１の連結バー４３２及び第２の連結バー４３４を摺動させて係合させ、各連結バーの摺動により連結部４３０の全体的な長さを増加又は短縮させて延長部４１０，４２０間の間隔を調節してもよい。なお、接続部材４００は、第１の連結バー４３２と第２の連結バー４３４との間に引っ張り力を与えて延長部４１０，４２０間の間隔を保持するためにばねなどの弾性部材を更に備えていてもよい。
【００６５】
上述したように、本考案の実施形態によるモバイル機器用ケースによれば、モバイル機器に保存された音源のデジタル信号を高品質のアナログ信号に変換して出力することにより、再生される音源の音質を向上させることができる。なお、モバイル機器を収容するケース１００にこのような音源再生モジュール２００を係合させることにより、 モバイル機器用ケースを構成して携帯性を向上させることができる。
【００６６】
この場合、ケース１００及び音源再生モジュール２００間の強固な係合のために係合面１４０をケース１００の外面から凹ませて形成して、音源再生モジュール２００の一方の端部を嵌着すること、固定体３００を用いて螺合すること、係止溝１８０に係止突起２８０を嵌合することなど上述した一つ以上の係合方式が適用可能である。
【００６７】
また、折り曲げられて形成される接続部材４００の両端部をモバイル機器の充電端子部及び音源再生モジュール２００の入力端子部２２０にそれぞれ嵌着してケース１００及び音源再生モジュール２００に更なる係合力を与えてもよいということはいうまでもない。
【００６８】
したがって、本考案の実施形態によるモバイル機器用ケースによれば、ケース１００及び音源再生モジュール２００間の係合力を保持しながらも、音源再生モジュール２００をモバイル機器に対して様々に製造されるケース１００に着脱自在に係合させることができて、モバイル機器を収容するケース１００を取り替えるだけでも多種多様なモバイル機器と互換可能になる。
【００６９】
以上、本考案の好適な実施形態について特定の用語を用いて説明及び図示したが、このような用語は単に本考案を明確に説明するためのものに過ぎず、本考案の実施形態及び記述された用語や次の実用新案登録請求の範囲の技術的思想及び範囲から逸脱することなく種々の変更及び変形を加え得るということは自明である。このように変形された実施形態は、本考案の思想及び範囲から個別的に理解されてはならず、本考案の実用新案登録請求の範囲内に属するものであると理解されるべきである。
【符号の説明】
【００７０】
１００：ケース
１２０：空間部
１４０：係合面
１６０：係合孔
１８０：係止溝
２００：音源再生モジュール
２８０：係止突起
３００：固定体
４００：接続部材
４１０，４２０：延長部
４３２：第１の連結バー
４３４：第２の連結バー
【図１】
0003211886.tif 000003
【図２】
0003211886.tif 000004
【図３】
0003211886.tif 000005
【図４】
0003211886.tif 000006
【図５】
0003211886.tif 000007
【図６】
0003211886.tif 000008